【事件の表示】
　特許第３２３１９９３号「掃除用シート」の請求項１ないし２に係る特許に対する特許異議の申立てについて、次のとおり決定する。
【結　論】
　訂正を認める。
　特許第３２３１９９３号の請求項１ないし２に係る特許を維持する。
【理　由】
１．手続の経緯 
　特許第３２３１９９３号の請求項１ないし４に係る発明についての出願は、平成８年２月２８日に特許出願され、平成１３年９月１４日にその発明についての特許権の設定登録がなされ、その後、その特許について、異議申立人　花王株式会社より特許異議の申立てがなされ、平成１４年１０月１１日付けで取消しの理由が通知され、その指定期間内である平成１４年１２月２４日に訂正請求（後日取下げ）がなされた後、平成１７年２月４日付けで再度の取消しの理由が通知され、その指定期間内である平成１７年４月１９日に訂正請求がなされたものである。　　　　　　　　　　　　　　　　　　　　　　　　　　　　　　　　　　　　　　　　　　　　　　　　　　 
２． 訂正の適否についての判断 
（１）訂正の内容 
　特許権者が求めている訂正の内容は、以下のア．〜エ．のとおりである。
ア．訂正前の請求項１を、　　　　　　　　　　　　　　　　　　　　　　「床面の汚れやごみを拭き取るための掃除用シートであり、該シートの両面の少なくとも一方が、第１面域と、該第１面域が床面に接触したときにその床面から離間して上方に位置する第２面域とからなり、第２面域が、ごみを粘着性により捕捉する粘着面を有し、前記第１面域が、第２面域に比較して弱粘着性または非粘着性の面を有する前記シートにおいて、
　前記第１面域の厚み方向の弾性が、前記第２面域のそれよりも高く、前記第１面域が前記第２面域の上面において互いに四方向へ離間している複数の円盤を有する不織布からなることを特徴とする前記掃除用シート。」と訂正し、新請求項１とする。
　　　　　　　　　　　　　　　　　　　　　　 
イ．訂正前の請求項２及び４を削除する。
　 
ウ．訂正前の請求項３を、
「前記第１面域と第２面域とが少なくとも一方向に交互に配置されている請求項１記載の掃除用シート。」と訂正し、新請求項２とする。
　　　　　　　
エ．明細書の段落【０００５】を、「前記課題を解決するためにこの発明が前提とするのは、床面の汚れやごみを拭き取るための掃除用シートであり、該シートの両面の少なくとも一方が、第１面域と、該第１面域が床面に接触したときにその床面から離間して上方に位置する第２面域とからなり、第２面域が、ごみを粘着性により捕捉する粘着面を有し、
前記第１面域が、第２面域に比較して弱粘着性または非粘着性の面を有する前記シートである。かかる前提においてこの発明が特徴とするところは、前記第１面域の厚み方向の弾性が、前記第２面域のそれよりも高く、前記第１面域が前記第２面域の上面において互いに四方向へ離間している複数の円盤を有する不織布からなることである。」と訂正する。
　
（２）訂正の目的の適否、新規事項の有無及び拡張・変更の存否 
Ａ）上記訂正事項ア．は、訂正前の請求項１の発明特定事項である「第１面域」について、それを「前記第２面域の上面において互いに四方向へ離間している複数の円盤を有する不織布からなる」ものに限定したものであるが、限定した事項に関して、願書に添付した明細書（以下、「特許明細書」という。）の段落【００１２】には、「図１の表面シート５に代わって中間シート３を被覆する多数の円盤１７が床面に接触する。円盤１７は、中間シート３の上面に互いに四方向へ離間して配設されており、個々の円盤１７は、所要厚みの不織布やフェルトを打ち抜くことにより形成されている。」と記載されていることから、該限定した事項は、特許明細書に記載されているものと認める。
　そうすると、上記訂正事項ア．は、特許請求の範囲の減縮を目的とした明細書の訂正に該当するものであり、新規事項の追加に該当せず、実質的に特許請求の範囲を拡張又は変更するものではない。
　　　　　　　　　　　　 
Ｂ）上記訂正事項イ．は、特許請求の範囲の限縮を目的とした明細書の訂正に該当し、新規事項の追加に該当せず、実質的に特許請求の範囲を拡張又は変更するものではない。
　 
Ｃ）上記訂正事項ウ．及びエ．は、上記訂正事項ア．及びイ．と整合を図るものであるから、明りょうでない記載の釈明を目的とした明細書の訂正に該当し、いずれも、新規事項の追加に該当せず、実質的に特許請求の範囲を拡張又は変更するものではない。 
　　　 　 
（３）むすび 
　以上のとおりであるから、上記訂正は、特許法第１２０条の４第２項及び同条第３項において準用する同法第１２６条第２，３項の規定に適合するので、当該訂正を認める。　　
　　　　　　　　　　　　　　　　　　　　　　　　　　　 
３． 特許異議申立てについて 
（１）本件の請求項１ないし２に係る発明 
　上記２．で示したように上記訂正が認められるから、本件の請求項１ないし２に係る発明（以下、「本件発明１ないし２」という。）は、上記訂正に係る訂正明細書の記載からみて、その特許請求の範囲の請求項１ないし２に記載されたそれぞれ、上記２．（１）のア．及びウ．の新請求項１及び新請求項２に記載された事項により特定されるとおりのものである。
　　　　　　　　　　　　　　　　　　　　　　　 
（２）申立ての理由の概要 
　異議申立人　花王株式会社は、甲第１号証ないし甲第３号証を提示し、本件特許の請求項１ないし４に係る発明は、甲第１号証（実願昭６０−６４０５４号（実開昭６１−１８０１４１号）のマイクロフィルム）に記載された発明に基づいて、又は甲第１号証に記載された発明、甲第２号証（特開平４−２８８１１３号公報）に記載された発明及び甲第３号証（特開平５−２４５０９０号公報）に記載された発明に基いて当業者が容易に発明をすることができたものであるから、かかる発明についての特許は、特許法第２９条第２項の規定に違反してされたものである旨、主張している。
　
（３）取消理由通知の取消しの理由の概要
（３−１）平成１４年１０月１１日付け取消理由通知の取消しの理由の概要
（３−１−１）本件特許の請求項１、３、４に係る発明に対して
　本件特許の請求項１、３、４に係る発明は、刊行物１（上記甲第１号証に同じ。）に記載された発明及び刊行物２（上記甲第２号証に同じ。）に記載された発明であるから、かかる発明についての特許は特許法第２９条第１項第３号の規定に違反してされたものである。
（３−１−２）本件特許明細書の請求項２に係る発明に対して
　本件特許の請求項２に係る発明は、刊行物１、刊行物２及び刊行物３（実願平２−８５５６６号（実開平４−４３１０３号）のマイクロフィルム）に記載された発明に基いて当業者が容易に発明をすることができたものであるから、かかる発明についての特許は、特許法第２９条第２項の規定に違反してされたものである。
（３−２）平成１７年２月４日付け取消理由通知の取消しの理由の概要
（３−２−１）本件特許の請求項１ないし３に係る発明に対して
　本件特許の請求項１ないし３に係る発明は、刊行物４（上記刊行物３に同じ。）に記載された発明に基いて当業者が容易に発明をすることができたものであるから、かかる発明についての特許は、特許法第２９条第２項の規定に違反してされたものである。
（３−２−２）本件発明４に対して
　本件特許の請求項４に係る発明は、刊行物４（上記刊行物３に同じ。）に記載された発明及び刊行物５（上記甲第１号証に同じ。）に記載された発明に基いて当業者が容易に発明をすることができたものであるから、かかる発明についての特許は、特許法第２９条第２項の規定に違反してされたものである。
　　　　　　　　　　　　　　　　　　　　　　　　　　　　　　　　　　（４）甲各号証刊行物及び上記各刊行物の記載事項
（４−１）異議申立人が提示した甲各号証刊行物の記載事項
（４−１−１）甲第１号証刊行物
　甲第１号証刊行物には、図面とともに下記の事項が示されている。 
ａ．「凹凸状に成型してなるフィルム又はシート状支持体の該凹部に粘着剤層を設けたことを特徴とする粘着テープもしくはシート。」（実用新案登録請求の範囲） 
ｂ．「本考案は、例えばクリーナー（清掃具）用として好適に使用される粘着テープもしくはシートに関するものである。」（明細書第１頁第１０行〜第１２行）
ｃ．「第１図及び第２図において、１は断面がコの字型とされた凹溝（好ましくは深さ０．１〜１ｍｍ、幅０．５〜３ｍｍである）の凹部２が形成されている紙、プラスチックフィルム又はシート状支持体である。しかして該凹部２には粘着剤層３がその上面３１を該支持体１の表面１１よりも僅かに陥没せしめて設けられている。ここで粘着剤層３の上面３１を支持体１の表面１１より僅かに陥没させるのは、後に述べるように被着体面に対する初期粘着力を低減させる上で好ましいものである。」（明細書第４頁第２行〜第１１行）
ｄ．「第６図Ａは、硬質床面の如きフラットな被着体面に当接させた状態を示し、この場合粘着テープは、支持体１の表面１１のみが被着体面に接触し粘着剤層３の上面３１は被着体面に直接接触しないが、軽く加圧すると支持体１の該表面１１が変形して僅かに接触するものである。第６図Ｂは、硬質床面の如きフラットな被着体面に零れているパン屑、砂粒などのゴミＧを捕獲してなる状態を示すもので、ゴミＧは粘着剤層３の上面３１に接着して捕獲される。該粘着剤層３は自重では直接被着体面に接着せずゴミＧに接着するだけであるが、軽く加圧することにより支持体１の表面１１が変形して被着体面に付着している微細なチリやホコリもよく捕獲できるものである。」（明細書第５頁第１８行〜第６頁第１１行）
 ｅ．図面の第１図および第２図には、粘着剤層３と支持体１の表面１１が平行に並んで配置されていることが示されている。 
 　上記記載事項及び図示内容を総合すると、甲第１号証には、以下の発明（以下、「甲第１号証発明」という。）が記載されているものと認められる。
　 
 「断面がコの字型とされた凹溝の凹部２が形成されているシート状支持体１の前記凹部２には粘着剤層３がその上面を前記支持体１の表面１１より僅かに陥没せしめて設けられており、粘着剤層３と支持体１の表面１１が平行に並んで配置されており、軽く加圧することにより支持体１の表面１１が変形して被着体面に付着している微細なチリやホコリを捕獲できる掃除用として使用される粘着シート。」
　 
（４−１−２）甲第２号証刊行物
　甲第２号証刊行物には、図面とともに下記の事項が示されている。
ａ．「【請求項１】　基台シートと、繊維の交絡により一体化された不織布とを重合わせて部分的に接合してなり、上記不織布は、上記基台シートより大きな面積を有し、上記基台シートに部分的に接合されて上記基台シートにより支持された支持領域及び上記基台シートから外側に延出する自由端領域とを有し、上記不織布は上記支持領域において上記基台シートとの非接合部分に凸状部が形成されていることを特徴とする掃除用シート。
　【請求項２】　上記凸状部に開口部を設けた、請求項１に記載の掃除用シート。」（特許請求の範囲請求項１，２）
ｂ．「従って、本発明の目的は、細かな塵埃から比較的大きなごみ類まで確実に捕捉、除去することができると共に、自由度が大きく充分に掃除することができる掃除用シート及びその製造方法を提供することにある。」（第２頁右欄第２４行〜第２８行）
ｃ．「また、上記不織布１２の支持領域１３では、図２及び図３に示す如く、接合部１５に囲まれた上記熱収縮性シート１１との非接合部１６が凸状部１２Ａとして形成され、接合部１５が凹状部１２Ｂとして形成されている。そして、上記不織布１２は、多数の凸状部１２Ａと、これらの間の凹状部１２Ｂとでクッション性のある掃除面を形成している。」（第３頁左欄第３１行〜第３７行）
ｄ．「また、上記不織布１２は、各凸状部１２Ａにそれぞれ設けられたスリット状の開口部１２Ｃを有し、上記構成繊維によって捕捉し難い比較的大きなごみ類をこれらの開口部１２Ｃを介してそれぞれの凸状部１２Ａの内部に取り込むように構成されている。」（第３頁左欄第４２行〜第４６行）
ｅ．「また、上記熱収縮性シート１１もしくは上記不織布１２の非接合部１６の少なくともいずれか一方の内面に低タック性の粘着剤が塗布されておれば、上記開口部１Ｃを介して捕捉されたごみ類の脱落を抑制することができる。尚、上記開口部１２Ｃは、上記不織布１２をシート状に形成後に部分的にスリット状に切断して形成するが、これ以外に、例えば、打ち抜いて形成してもよい。また、ウォーターニードリング方法で不織布を製造する場合には、ウエブの繊維絡合の際、支持体のネットに粗いメッシュを用いることによって上記開口部１２Ｃを形成してもよい。」（第３頁右欄第５行〜第１５行）
ｆ．表１及び表２には、清掃シートのごみの捕捉性を調べた結果が示されている。
ｇ．図２には、清掃シートの断面図が示されている。
　上記記載事項及び図示内容を総合すると、甲第２号証には、以下の発明（以下、「甲第２号証発明」という。）が記載されているものと認められる。
　
「床面の細かな塵埃から比較的大きなごみ類まで捕捉、除去することができる掃除用シートであって、該シートの一方の面が、多数の凸状部１２Ａと、該凸状部１２Ａが床面に接触したときにその床面から離間して上方に位置する多数の凹状部１２Ｂとからなり、凸状部１２Ａの内部の中空部における熱収縮性シート１１側に粘着剤が塗布されており、多数の凸状部１２Ａと、これらの間の凹状部１２Ｂとでクッション性の高い清掃面を形成し、凸状部１２Ａに開口部１２Ｃが設けられており、該開口部１２Ｃが、不織布１２の支持体のネットに粗いメッシュを用いることによって形成されている掃除用シート。」
　
イ．甲第３号証刊行物
　甲第３号証刊行物には、図面とともに下記の事項が示されている。
ａ．「基台シートの片面あるいは両面に、繊維の絡合で形成された不織布状からなる基布が部分的な接合により一体化されており、上記基布はその接合部分が凹状部を形成し、非接合部分が凸状部を形成し、全体として表面に凹凸形状を有する清掃用物品であって、油剤成分を基布の重量に対して０．１〜８０％担持させてなることを特徴とする清掃用物品。」
（特許請求の範囲請求項１）
ｂ．「上記基布の凸状部には開口が形成されていることを特徴とする請求項１記載の清掃用物品。」（特許請求の範囲請求項４）
ｃ．「従って、本発明の目的は、細かなダスト等の汚れはもとよりパン粉等の比較的大きな汚れまで、広範囲なダストの捕集能力に優れ、且つ捕集能力が被清掃面の形状に左右されにくい清掃用物品及びその製造方法を提供することである。」（第３頁３欄第２行〜第６行）
ｄ．「上記基布１２には、該格子状の接合部分１３により囲まれた、基台シート１１との非接合部分が、凸状部１２Ａとして形成されており、清掃用シート全体として清掃面に凹凸形状が形成されている。これらの多数の凸状部１２Ａと、これらの間の凹状部１２Ｂとでクッション製の高い清掃面を形成し、被清掃面の形状に左右されにくい清掃面を形成している。」（第４頁５欄第３４行〜第４０行）
ｅ．「上記基台シート１１と上記不織布１２との非接合部分の少なくともいずれか一方の内面に低タック性の粘着剤が塗布されておれば、上記スリット開口１２Ｃを介して捕捉されたダストの脱落を抑制することができる。尚、スリット開口１２Ｃは上記不織布１２をシート状に形成後に部分的にスリット状に切断して形成するが、これ以外に、例えば、打ち抜いて形成しても良い。また、ウォータージェット交絡の方法で不織布を形成する場合には、ウェブの繊維絡合の際、支持体のネットに粗いメッシュを用いることによって上記スリット開口１２Ｃを形成してもよい。」（第７頁１１欄第３行〜第１３行）
ｆ．「×：深さ３mm及び５mmの溝中にダストがかなり残る。
２．角隅に対する清掃能
直交する３面からなるコーナー部に土、砂ぼこりの組成に近い試験用ダスト７種（JIS Z8901 ）を、１ｇ均一にまき、７×１１cmの大きさのスポンジに上記各実施品と比較品とを貼り付けて固定し、１０往復して被清掃面の溝中の汚れ具合を目視した。」（第８頁１４欄第７行〜第１４行）
ｇ．図２には、清掃用シートの一部を切断した斜視図が示されている。　
　上記記載事項及び図示内容を総合すると、甲第３号証には、以下の発明（以下、「甲第３号証発明」という。）が記載されているものと認められる。
　
「細かなダストからパン粉等の比較的大きな汚れまで広範囲なダストの捕集能力を有する清掃用シートであって、該シートの一方の面が、多数の凸状部１２Ａと、該凸状部１２Ａが床面に接触したときにその床面から離間して上方に位置する多数の凹状部１２Ｂとからなり、凸状部１２Ａの内部の中空部における熱収縮性シート１１側に粘着剤が塗布されており、多数の凸状部１２Ａと、これらの間の凹状部１２Ｂとでクッション性の高い清掃面を形成し、凸状部１２Ａに開口部１２Ｃが、不織布１２の支持体のネットに粗いメッシュを用いることによって形成されている清掃用シート。」
　
（４−２）上記取消理由通知で引用された各刊行物の記載事項
（４−２−１）刊行物１（刊行物１は、甲第１号証刊行物に同じ。甲第１号証刊行物の記載事項については、上記（４−１−１）に記載。）
　
（４−２−２）刊行物２（刊行物２は、甲第２号証刊行物に同じ。甲第２号証刊行物の記載事項については、上記（４−１−２）に記載。）
　
（４−２−３）刊行物３
　刊行物３には、図面とともに下記の事項が記載されている。
ａ．「１　上部接着層と、下部接着層と、から成る接着部材により、前記上部接着層をスリッパの底部下面に、前記下部接着層に所望の処理層を接合しており、前記上部接着層の接着力が下部接着層の接着力より弱いことを特徴とする底部に処理層を備えた室内履き用の処理層付スリッパ。 
 ２　処理層が網目層から成る請求の範囲第１項のスリッパ。 
 ３　処理層が網目層にさらに布地層を積重ねた層から成る請求の範囲第１項のスリッパ。 
 ４　処理層が網目層の一部にのみ布地層を積重ねて成る請求の範囲第１項のスリッパ。 
 ５　処理層に滑り止め材料を付着した請求の範囲第３又は４項のスリッパ。」（明細書の実用新案登録請求の範囲 ） 
ｂ．「第１図は本考案にかかるスリッパ１０の分解図である。番号１２は公知のスリッパ本体であり、該本体１２の底面には、片面接着テープ１４、両面接着テープ１６、別の片面接着テープ１８、網目層２０、布地層２４が配設されている。・・（略）・・該本体１２の底面には、上部接着層としての片面接着テープ１４が接合されている。このテープ１４は上面に接着剤が塗布されたもので、・・（略）・・このようなテープ１４の使用によって当該テープをスリッパ本体１２から剥がすことにより該スリッパ本体１２は再度通常のスリッパとして使用できる。該テープ１４の非接着面には両面接着テープ１６の片側の接着面が付着されている。 
　該両面接着テープ１６の他側の接着面には下部接着層としての別の片面接着テープ１８の非接着面が付着されている。 
　さらに、この下部接着層としての片面接着テープ１８の接着面には処理層２０が付着されている。この処理層２０は例えば、綿、布などの天然繊維又は合成繊維、化学繊維などを網目状に織ったもの、打ち抜いたもの、レーザー加工したもの、などから成る網目層により構成されている。・・（略）・・ただし、あまり網目の目を細かくしたり、網目層自体を厚くすると、下部接着層の機能が著しく劣化することとなる。下部接着層と床面との間隔が離れ過ぎることとなるからである。一方網目の目をあまり大きくすると、接着層が歩くたびに床面に接着し大変歩きにくくなる。」（明細書第４頁第１８行〜第６頁第２０行） 
ｃ．「第１図に例示した本考案においては、上部接着層１４と、下部接着層１８と、これらを接合する両面接着テープから成る中間接着層１６と、が接着部材２２を形成しているが、・・（略）・・片面接着テープ１８の代わりに両面接着テープ１６の他側の接着面を下部接着層としてこれに網目層２０を接合させることもできる。」（明細書第７頁第９行〜第２０行） 
ｄ．「スリッパ本体１２に対し接着部材２２を介して処理層２０が接合されている本考案のスリッパ１０によれば（第３図参照）、このスリッパ１０によって室内を歩行することにより、第２図に示す下部接着層１８の網目間の接着材面には床板面又は畳み表面のダニや塵又は花粉など２８が付着する。」（明細書第８頁第９行〜第１５行） 
ｅ．「さらにより強力な払拭効果を得たい場合には、網目層２０の全面（第４図）またはその一部（第５及び６図）を介して下部接着層にモップ作用を提供できるタオル地等から成る布地層２４を予め接着する。」（明細書第９頁第９行〜第１３行） 
ｆ．「さらに第５図、６図のように下部接着層１８の一部にのみモップ層２４を配置する場合には床面の払拭作用と、ごみ、ダニ、埃等の集塵作用と、が同時に達成できる。なお、モップ層２４の配置位置などは図示の例に限定されるものではないことは当然である。モップ層２４は網目層２２を介在して下部接着層１８へ付着されているので、該モップ層２４を下部接着層１８から分離することは容易である。・・・（中略）・・・モップ層２４にスポンジ等の弾性材料を内有することにより、スリッパの履き心地を改良することができる。モップ層２４の材質は天然繊維、合成繊維、化学繊維等により成る。」（明細書第１０頁第３行〜第１８行） 
ｇ．第６図には、一部に布地層又はモップ層２４を有する実施例の底面図が示されており、断面略楕円形状の下部接着層１８の上に網目層２０を積層し、網目層２０を介在して下部接着層１８及び網目層２０の外周部分及び略楕円の短軸部分に、さらに布地層又はモップ層２４が付着されてなる積層体が示されている。 
　上記記載事項及び図示内容を総合すると、刊行物３には、以下の発明（以下、「刊行物３発明」という。）が記載されているものと認められる。
　 
 「スリッパ本体１２に対し分離可能に取り付けて使用し、床面の払拭作用と、ごみ、ダニ、埃等の集塵作用とを同時に達成する掃除用接着部材付き処理層であって、該接着部材付き処理層は接着部材２２、網目層２０および網目層２０より強力な払拭効果を得るための布地層又はモップ層２４からなり、上記接着部材２２は上部接着層１４、両面接着テープ１６からなり、上記上部接着層１４は片面接着テープからなり、上記上部接着層の上面には接着剤が塗布されており、他側は非接着面とされ、上記両面接着テープ１６の片側接着面は上記上部接着層１４の非接着面に付着され、他側接着面は、下部接着層となり、上記布地層又はモップ層２４はスポンジ等の弾性材料を内有し、上記網目層２０を介在して断面略楕円形状の下部接着層及び網目層２０の外周部分及び略楕円の短軸部分に付着されてなり、その表面が床面側に位置し、布地層又はモップ層２４の表面が床面に接触したときに下部接着層は床面と離間しており、上記下部接着層の網目間の接着材面には、床板面又は畳み表面のダニや塵又は花粉などが付着する、全体がシート状とされた掃除用接着部材付き処理層。」 
　
（４−２−４）刊行物４（（刊行物４は、上記刊行物３に同じ。刊行物３の記載事項については、上記（４−２−３）に記載。）
　 
（４−２−５）刊行物５ （（刊行物５は、甲第１号証刊行物に同じ。甲第１号証刊行物の記載事項については、上記（４−１−１）に記載。） 
  　　　　　　　　　　　　　　　　　　　　　　　　　　　　　　　　　（５）対比・判断 
（５−１）本件発明１について 
　 本件発明１と甲第１ないし３号証刊行物及び刊行物１ないし５に記載の発明を対比するが、ここでは、甲第１ないし３号証刊行物及び上記刊行物１ないし５には、同一の刊行物があるので、後出を重複排除して、本件発明１と甲第１ないし３号証発明及び刊行物３発明とを対比することとする。
　甲第１号証発明は、それらの発明が有する機能及び構成からみて、本件発明１の「床面の汚れやごみを拭き取るための掃除用シートであり、該シートの両面の少なくとも一方が、第１面域と、該第１面域が床面に接触したときにその床面から離間して上方に位置する第２面域とからなり、第２面域が、ごみを粘着性により捕捉する粘着面を有し、前記第１面域が、第２面域に比較して弱粘着性または非粘着性の面を有する前記シート」に相当する構成を備えるものといえ、甲第２号証発明及び甲第３号証発明は、ともに、「凸状部１２Ａに開口部１２Ｃが設けられており、該開口部１２Ｃが、不織布１２の支持体のネットに粗いメッシュを用いることによって形成されている」ものであるから、いずれも、本件発明１の「第１面域」に対応する部分を含む箇所は、不織布からなるものである。
　また、刊行物３発明は、床面の汚れやごみを拭き取るためのシート状の掃除用のものであって、スリッパ本体に取り付けて使用するものであり、本件発明１の「該シートの両面の少なくとも一方が、第１面域と、該第１面域が床面に接触したときにその床面から離間して上方に位置する第２面域とからなり、第２面域が、ごみを粘着性により捕捉する粘着面を有し、前記第１面域が、第２面域に比較して弱粘着性または非粘着性の面を有する前記シート」に相当する構成に加え、本件発明１の「第１面域の厚み方向の弾性が、前記第２面域のそれよりも高い」構成に相当する構成を備えるものといえる。
　しかしながら、甲第１ないし３号証発明及び刊行物３発明は、本件発明１の「第１面域が前記第２面域の上面において互いに四方向へ離間している複数の円盤を有する」事項を具備しておらず、当該事項により本件発明１は、特許明細書記載の「床面を拭いたときにごみが隣り合う円盤１７どうしの間に入ってシート１の中央部に達し、そこで円盤１７の側面や中間シート３に捕捉される機会が多くなる。それゆえ、シート１の面積全体を効率よく利用することができる」（段落【００１２】）、という掃除用シートとして顕著な効果を奏するものである。 
　上記のことから、本件発明１が甲第１ないし３号証及び上記刊行物１ないし５に記載の発明から容易に発明をすることができたものとはいえない。 
　また、本件発明２は、本件発明１の構成要件を全て含み、さらに他の構成要件を付加したものであるから、本件発明１と同様に、甲第１ないし３号証及び上記刊行物１ないし５に記載の発明から容易に発明をすることができたものとはいえない。
　　　　　　　　　　　　　　　　　　　　　　　　　　　　　　　　　　（５）むすび 
　以上のとおりであるから、特許異議申立ての理由及び証拠によっては、本件請求項１ないし２に係る発明についての特許を取り消すことはできない。 
 また、他に本件請求項１ないし２に係る発明についての特許を取り消すべき理由を発見しない。
　よって、結論のとおり決定する。
【異議決定日】
平成１７年６月１５日（２００５．６．１５）
【訂正の要旨】
審決（決定）の【理由】欄参照。
（５４）【発明の名称】
掃除用シート
（５７）【特許請求の範囲】
　【請求項１】
　床面の汚れやごみを拭き取るための掃除用シートであり、該シートの両面の少なくとも一方が、第１面域と、該第１面域が床面に接触したときにその床面から離間して上方に位置する第２面域とからなり、第２面域が、ごみを粘着性により捕捉する粘着面を有し、前記第１面域が、第２面域に比較して弱粘着性または非粘着性の面を有する前記シートにおいて、
　前記第１面域の厚み方向の弾性が、前記第２面域のそれよりも高
く、
　
前記シートが、基材シートと、該基材シート両面の少なくとも一方に接合する両面粘着シートと、該粘着シートに接合するメッシュ地とからなり、該メッシュ地の上面が前記第１面域を形成し、該メッシュ地からのぞく前記粘着シート部分が前記第２面域を形成している
　【
請求項２
　前記第１面域と第２面
域
【発明の詳細な説明】
　【０００１】
　【発明が属する技術分野】
　この発明は、床面の汚れやごみを拭き取るための掃除用シートに関する。
　【０００２】
　【従来の技術】
　従来、この種シートとして、不織布を起毛したものや不織布に油剤を含浸させたもの、基材となるシートに粘着剤を塗布したもの等が周知である。
　【０００３】
　【発明が解決しようとする課題】
　前記周知の掃除用シートのうち、不織布を起毛したものは、床面に対する滑りはよいが、砂粒等のような比較的重いごみを保持する力に劣るから、そのようなごみの拭き取りには適さない。不織布に油剤を含浸させたものは、ごみの保持力が向上するものの、それでも十分とは言い難い場合がある。粘着剤を使用した掃除用シートは、ごみの保持力が優れてはいても、その粘着性のゆえに床面に対する滑りがよくない。加えて、この掃除用シートは、手にくっつくことがあるから、時によって取り扱いにくいことがある。
　【０００４】
　そこで、この発明は、ごみの保持力に優れ、床面に対する滑りがよく、しかも、手にくっつくことがなくて取り扱いが容易な掃除用シートを得ることを課題にしている。
　【０００５】
　【課題を解決するための手段】
　前記課題を解決するためにこの発明が前提とするのは、床面の汚れやごみを拭き取るための掃除用シートであり、該シートの両面の少なくとも一方が、第１面域と、該第１面域が床面に接触したときにその床面から離間して上方に位置する第２面域とからなり、第２面域が、ごみを粘着性により捕捉する粘着面を有し、前記第１面域が、第２面域に比較して弱粘着性または非粘着性の面を有する前記シートである。
　かかる前提においてこの発明が特徴とするところは、前記第１面域の厚み方向の弾性が、前記第２面域のそれよりも高
く、前記シートが、基材シートと、該基材シート両面の少なくとも一方に接合する両面粘着シートと、該粘着シートに接合するメッシュ地とからなり、該メッシュ地の上面が前記第１面域を形成し、該メッシュ地からのぞく前記粘着シート部分が前記第２面域を形成している
　【０００６】
　【実施例】
　添付の図面を参照して、この発明にかかる掃除用シートの詳細を説明すると、以下のとおりである。
　【０００７】
　図１に部分破断斜視図で示す掃除用シート１は、不織布製の基材シート２と、上下両面が粘着性の中間シート３と、シート３よりも粘着性が弱いか、または、粘着性が全くないメッシュ地の表面シート５とによって構成されている。表面シート５は、多数の透孔４を有し、中間シート３を介して基材シート２に接合し、透孔４には、中間シート３の上面側の粘着面がのぞいている。図示の中間シート３と表面シート５とは、ほぼ同形同大で重なり合い、基材シート２は、それらシート３，５と長さが同じであるが、幅が広く、シート３，５の左右側縁から延出する側縁部６を有する。
　【０００８】
　図２は、床面掃除用の器具１１に取り付けられた掃除用シート１の斜視図である。器具１１は、板状部１３と、板状部１３に枢動可能に取り付けられた腕部１４とからなる。掃除用シート１は、板状部１３の下面に当てがわれ、側縁部６が板状部１３の上面に折り重ねられて、クリップ８で着脱可能に止着されている。かかる器具１１は、腕部１４を持ち、掃除用シート１の表面シート５で床面を拭くことができる。
　【０００９】
　器具１１に取り付けられた掃除用シート１では、ほこり等の比較的軽いごみが表面シート５を構成する不織布繊維に絡み付くことによって、また表面シート５に粘着性があるときにはその粘着性によって捕捉される。砂粒等の比較的重く、形状が繊維に絡みつきにくいごみは、表面シート５の透孔４の中に入り、透孔４内における中間シート３の粘着面において捕捉される。表面シート５に使用する不織布は、ゴミの捕捉が容易となるように、それに起毛処理を施したり、捲縮繊維を使用して、嵩高なものにしたり、油剤を含浸させたりすることができる。また、表面シート５は、その厚みによって、透孔４の深さを変えることができるが、その厚み方向への弾性（クッション性）が比較的よく、掃除用シート１の使用中に、透孔４の深さにかかわりなく、中間シート３の粘着面が床面に適宜近接するようにしてあることが好ましい。この掃除用シート１では、透孔４の縁部１６が床に付着したごみをかき取るように作用し、かき取ったごみは透孔４で捕捉することができる。
　【００１０】
　このように使用される掃除用シート１の表面シート５は、床面に対する滑りがよくなるように、粘着性が中間シート３のそれよりも弱くしてあるか、または、粘着性を有していない。
　【００１１】
　掃除用シート１を器具１１に取り付けるときには、指が中間シート３に触れないように基材シート２と表面シート５とを持てば、指は粘着面にくっつくことがない。掃除用シート１は、それが器具１１に取り付けるものではなければ側縁部６を省き、中間シート３や表面シート５と同形同大のものにすることができる。
　【００１２】
　図３は、この発明の実施態様の一例を示す図１と同様の図面である。この掃除用シート１では、図１の表面シート５に代わって中間シート３を被覆する多数の円盤１７が床面に接触する。円盤１７は、中間シート３の上面に互いに四方向へ離間して配設されており、個々の円盤１７は、所要厚みの不織布やフェルトを打ち抜くことにより形成されている。かかる掃除用シート１を図１のそれにと比べると、このシート１では、床面を拭いたときにごみが隣り合う円盤１７どうしの間に入ってシート１の中央部に達し、そこで円盤１７の側面や中間シート３に捕捉される機会が多くなる。それゆえ、シート１の面積全体を効率よく利用することができる。
　【００１３】
　図４は、この発明のさらに他の実施態様を示す図３と同様の図面である。この掃除用シート１では、円盤１７に代わって一方向に互いに平行に延びる複数の帯片１８が中間シート３を被覆し、床面に接触する。かかる帯片１８には、所要厚みの不織布やフェルト等の繊維からなるシートを所要幅に裁断したもの、フィラメントや割裂繊維等で比較的径の大きいものまたはそれらの束などを使用することができる。
　【００１４】
　この発明において、粘着面を覆い、床面をこするために使用される図１の表面シート５や、それに代わる図３，４の円盤１７，帯片１８は、中間シート３に対してこのシート３の粘着力によって接合していればよい。中間シート３と表面シート５とは、基材シート２の両面にあって、掃除用シート１の片面が汚れたなら、それを裏返して使用できるようにしてもよい。基材シート２や中間シート３には、図示例の他に、適宜のシート材料を使用することができる。
　【００１５】
　掃除用シート１は、床面の掃除に適したものではあるが、壁面や天井面等の適宜の場所の掃除に使用することができる。
　【００１６】
　【発明の効果】
　この発明に係る掃除用シートは、その汚れ拭き取り面が床面に接触する弱粘着性または非粘着性の第１面域と、床面に接触しない強粘着性の第２面域とで構成されるとともに第１面域の厚み方向の弾性が、第２面域のそれよりも高くなっているので、床面に対する滑りがよく、しかも強い捕捉力を有する。かかる掃除用シートは、手にくっつくことがないから、その取り扱いが容易である。
【図面の簡単な説明】
　【図１】
　掃除用シートの部分破断斜視図。
　【図２】
　使用状態にある掃除用シートの斜視図。
　【図３】
　この発明の実施態様の一例を示す図１と同様の図面。
　【図４】
　この発明の実施態様の他の一例を示す図１と同様の図面。
　【符号の説明】
　１　掃除用シート
　２　基材シート
　３　中間シート
　４　透孔（第２面域）
　５　表面シート（第１面域）
　１７　円盤（第１面域）
　１８　帯片（第１面域）